(57)【要約】【課題】ＬＥＤの温度変化によって生じるＬＥＤバックライトの色温度変化を補償することができる表示装置を提供する。【解決手段】液晶表示パネルＰ１と、ＬＥＤバックライトと、前記ＬＥＤバックライトのＬＥＤを駆動するＬＥＤドライバ３と、前記ＬＥＤバックライトのＬＥＤ温度を検出するＬＥＤ温度検出部（降圧回路４，ＣＰＵ５）と、前記ＬＥＤバックライトの色温度変化を補償するように、前記ＬＥＤ温度検出部の検出結果に応じて、液晶表示パネルＰ１に供給する映像信号を補正する補正部（ＣＰＵ５，色温度調整回路７，メモリ８）とを備える表示装置。【選択図】図２
2012073400.tif 000002
【特許請求の範囲】
【請求項１】
表示パネルと、
前記表示パネルに光を出射するＬＥＤバックライトと、
前記ＬＥＤバックライトのＬＥＤを駆動するＬＥＤドライバと、
前記ＬＥＤバックライトのＬＥＤ温度を検出するＬＥＤ温度検出部と、
前記ＬＥＤバックライトの色温度変化を補償するように、前記ＬＥＤ温度検出部の検出結果に応じて、前記表示パネルに供給する映像信号を補正する補正部とを備えることを特徴とする表示装置。
【請求項２】
前記ＬＥＤ温度検出部が、前記ＬＥＤドライバの出力を用いて、前記ＬＥＤバックライトのＬＥＤ温度を検出することを特徴とする請求項１に記載の表示装置。
【請求項３】
前記ＬＥＤドライバが定電流出力のドライバであり、
前記ＬＥＤ温度検出部が、前記ＬＥＤドライバの出力電圧を用いて、前記ＬＥＤバックライトのＬＥＤ温度を検出することを特徴とする請求項２に記載の表示装置。
【請求項４】
前記補正部が、
前記ＬＥＤ温度と温度補正値との対応関係を示す第１ルックアップテーブルを予め記憶し、
前記ＬＥＤ温度検出部が検出した前記ＬＥＤ温度に対応する温度補正値を、前記第１ルックアップテーブルを参照して、決定し、
決定した温度補正値に基づいて、前記表示パネルに供給する映像信号を補正することを特徴とする請求項１〜３のいずれか１項に記載の表示装置。
【請求項５】
前記補正部が、前記ＬＥＤバックライトの色温度変化及び前記表示パネルの劣化を補償するように、前記ＬＥＤ温度検出部の検出結果及び前記表示パネルの積算点灯時間に応じて、前記表示パネルに供給する映像信号を補正する請求項１〜４のいずれか１項に記載の表示装置。
【請求項６】
前記補正部が、
前記表示パネルの積算点灯時間と劣化補正値との対応関係を示す第２ルックアップテーブルを予め記憶し、
前記表示パネルの積算点灯時間に対応する劣化補正値を、前記第２ルックアップテーブルを参照して、決定し、
前記第１ルックアップテーブルを参照して決定した温度補正値及び前記第２ルックアップテーブルを参照して決定した劣化補正値に基づいて、前記表示パネルに供給する映像信号を補正することを特徴とする請求項５に記載の表示装置。
【発明の詳細な説明】
【技術分野】
【０００１】
本発明は、表示装置に関し、特にＬＥＤバックライトを有する表示装置に関する。
【背景技術】
【０００２】
表示パネルと、前記表示パネルを前記表示パネルの背面から照明するバックライトとを備える表示装置（例えば透過型液晶表示装置）においては、テレビ受像機などの比較的画面サイズが大きい表示装置である場合、ＣＣＦＬ（Cold Cathode Fluorescent Lamp）やＥＥＦＬ（External Electrode Fluorescent Lamp）等の蛍光管をバックライトとして用いる構成が一般的である。
【０００３】
ところが、近年、環境問題などの観点から、蛍光管よりも消費電力が小さいＬＥＤ（Light Emitting Diode）をバックライトの光源に用いている表示装置、すなわち、ＬＥＤバックライトを有する表示装置が脚光を浴びている。
【先行技術文献】
【特許文献】
【０００４】
【特許文献１】特開２００７−１５６１５７号公報（段落００４０〜００４８）
【発明の概要】
【発明が解決しようとする課題】
【０００５】
しかしながら、ＬＥＤバックライトでは、ＬＥＤの色みが温度により変化してしまうので、ＬＥＤの温度が変化するとＬＥＤバックライトの色温度も変化してしまい、ＬＥＤバックライトの特性が安定しないという問題がある。
【０００６】
なお、特許文献１では、使用温度環境が表示機器における特性変化の速さに影響するため、液晶表示パネル近傍の使用温度を温度センサで測定し、使用温度環境をパラメータとして加味して、標準的な温度条件に置き換えた場合の積算点灯時間（換算積算点灯時間）に応じた画質調整を行う表示機器が提案されている。
【０００７】
特許文献１で提案されている表示機器は、あくまで劣化状況の指標である積算点灯時間に応じた画質調整を行うものであるので、同一の劣化状況すなわち同一の換算積算点灯時間（例えば０時間）においてＬＥＤの温度が変化すると、ＬＥＤバックライトの色温度が変化してしまう。すなわち、特許文献１で提案されている表示機器は、上記の問題を解決できるものではない。
【０００８】
本発明は、上記の状況に鑑み、ＬＥＤの温度変化によって生じるＬＥＤバックライトの色温度変化を補償することができる表示装置を提供することを目的とする。
【課題を解決するための手段】
【０００９】
上記目的を達成するために本発明に係る表示装置は、表示パネルと、前記表示パネルに光を出射するＬＥＤバックライトと、前記ＬＥＤバックライトのＬＥＤを駆動するＬＥＤドライバと、前記ＬＥＤバックライトのＬＥＤ温度を検出するＬＥＤ温度検出部と、前記ＬＥＤバックライトの色温度変化を補償するように、前記ＬＥＤ温度検出部の検出結果に応じて、前記表示パネルに供給する映像信号を補正する補正部とを備える構成とする。
【００１０】
このような構成によると、ＬＥＤの温度変化によって生じるＬＥＤバックライトの色温度変化を補償することができる。
【００１１】
また、前記ＬＥＤ温度検出部が、前記ＬＥＤドライバの出力を用いて、前記ＬＥＤバックライトのＬＥＤ温度を検出することが好ましい。
【００１２】
これにより、温度センサが不要になるため、低コスト化を図ることができるとともに、ＬＥＤ温度の検出精度が悪化するおそれも無くなる。
【００１３】
さらに、前記ＬＥＤドライバが定電流出力のドライバであり、前記ＬＥＤ温度検出部が、前記ＬＥＤドライバの出力電圧を用いて、前記ＬＥＤバックライトのＬＥＤ温度を検出することが好ましい。
【００１４】
これにより、ＬＥＤが定電流駆動となり、ＬＥＤバックライトの輝度が安定する。
【００１５】
また、前記補正部が、前記ＬＥＤ温度と温度補正値との対応関係を示す第１ルックアップテーブルを予め記憶し、前記ＬＥＤ温度検出部が検出した前記ＬＥＤ温度に対応する温度補正値を、前記第１ルックアップテーブルを参照して、決定し、決定した温度補正値に基づいて、前記表示パネルに供給する映像信号を補正することが好ましい。
【００１６】
これにより、映像信号の補正に関する演算処理が容易になる。
【００１７】
また、前記ＬＥＤバックライトの色温度変化のみならず前記表示パネルの劣化も補償するために、前記補正部が、前記ＬＥＤバックライトの色温度変化及び前記表示パネルの劣化を補償するように、前記ＬＥＤ温度検出部の検出結果及び前記表示パネルの積算点灯時間に応じて、前記表示パネルに供給する映像信号を補正することが好ましい。この場合、前記補正部が、前記表示パネルの積算点灯時間と劣化補正値との対応関係を示す第２ルックアップテーブルを予め記憶し、前記表示パネルの積算点灯時間に対応する劣化補正値を、前記第２ルックアップテーブルを参照して、決定し、前記第１ルックアップテーブルを参照して決定した温度補正値及び前記第２ルックアップテーブルを参照して決定した劣化補正値に基づいて、前記表示パネルに供給する映像信号を補正することが好ましい。これにより、映像信号の補正に関する演算処理が容易になる。
【発明の効果】
【００１８】
本発明に係る表示装置は、表示パネルと、前記表示パネルに光を出射するＬＥＤバックライトと、前記ＬＥＤバックライトのＬＥＤを駆動するＬＥＤドライバと、前記ＬＥＤバックライトのＬＥＤ温度を検出するＬＥＤ温度検出部と、前記ＬＥＤバックライトの色温度変化を補償するように、前記ＬＥＤ温度検出部の検出結果に応じて、前記表示パネルに供給する映像信号を補正する補正部とを備える構成である。このような構成により、ＬＥＤの温度変化によって生じるＬＥＤバックライトの色温度変化を補償することができる。
【図面の簡単な説明】
【００１９】
【図１】本発明の第１実施形態に係るテレビジョン受信機の要部構成を示す図である。
【図２】本発明の第１実施形態に係るテレビジョン受信機の概略構成を示すブロック図である。
【図３】ＬＥＤドライバの一構成例を示す図である。
【図４】色温度補正値の決定に関連するＣＰＵの動作を示すフローチャートである。
【図５】ＬＥＤドライバから出力される駆動電圧とＬＥＤ温度との関係を示す図である。
【図６】ＬＥＤ温度とＬＥＤバックライトの色温度変化による表示映像の色度シフト量及び温度補正値との関係を示す図である。
【図７】液晶表示パネルのパネル点灯積算時間と液晶表示パネルの劣化による表示映像の色度シフト量及び劣化補正値との関係を示す図である。
【図８】本発明の第２実施形態に係るテレビジョン受信機の要部構成を示す図である。
【図９】本発明の第２実施形態に係るテレビジョン受信機の概略構成を示すブロック図である。
【図１０】色温度補正値の決定に関連するＣＰＵの動作を示すフローチャートである。
【発明を実施するための形態】
【００２０】
本発明の実施形態について図面を参照して以下に説明する。
【００２１】
まず、本発明の第１実施形態に係るテレビジョン受信機について説明する。本発明の第１実施形態に係るテレビジョン受信機の要部構成を図１に示す。本発明の第１実施形態に係るテレビジョン受信機は、エッジ型ＬＥＤバックライトを備えている。当該エッジ型ＬＥＤバックライトは、複数のＬＥＤの直列接続回路であるＬＥＤバックライト用第１ＬＥＤモジュール１と、同じく複数のＬＥＤの直列接続回路であるＬＥＤバックライト用第２ＬＥＤモジュール２と、導光板Ｌ１とによって構成されている。
【００２２】
ＬＥＤバックライト用第１ＬＥＤモジュール１とＬＥＤバックライト用第２ＬＥＤモジュール２とは並列接続されており、ＬＥＤドライバ３から出力される駆動電圧によって駆動（点灯）する。導光板Ｌ１は、ＬＥＤバックライト用第１ＬＥＤモジュール１およびＬＥＤバックライト用第２ＬＥＤモジュール２から射出される光を液晶表示パネルＰ１に導いている。
【００２３】
さらに、本発明の第１実施形態に係るテレビジョン受信機では、降圧回路４が、ＬＥＤドライバ３から出力される駆動電圧を、テレビジョン受信機全体を制御するＣＰＵ（Central Processing Unit）５が直接読み込める電圧まで降圧して、ＣＰＵ５に供給している。詳細は後述するが、このような構成により、ＣＰＵ５は、エッジ型ＬＥＤバックライトのＬＥＤ温度を演算することができる。
【００２４】
次に、本発明の第１実施形態に係るテレビジョン受信機の概略構成を図２に示す。なお、図２において図１と同一の部分には同一の符号を付す。
【００２５】
図２に示す通り、本発明の第１実施形態に係るテレビジョン受信機は、ＬＥＤバックライト用第１ＬＥＤモジュール１、ＬＥＤバックライト用第２ＬＥＤモジュール２、ＬＥＤドライバ３、降圧回路４、ＣＰＵ５、映像信号処理回路６、色温度調整回路７、メモリ８、パネル点灯積算時間リセットスイッチ９、および液晶表示パネルＰ１を備えている。また、本発明の第１実施形態に係るテレビジョン受信機は、デジタルチューナ、デマルチプレクサ、ＡＶデコーダ、音声信号処理回路（いずれも不図示）なども備えている。なお、本実施形態においては、降圧回路４及びＣＰＵ５が請求項中に記載されているＬＥＤ温度検出部に相当し、ＣＰＵ５、色温度調整回路７、及びメモリ８が請求項中に記載されている補正部に相当する。
【００２６】
デジタルチューナが、アンテナからの高周波信号を、特定周波数の信号である選択された物理チャンネルのデジタル変調信号に変換する。また、デジタルチューナは、選択された物理チャンネルのデジタル変調信号を復調する復調回路等を備えており、トランスポートストリームを出力する。
【００２７】
デマルチプレクサは、デジタルチューナから受け取ったトランスポートストリームのパケットのうち暗号化が施されているパケットに対して復号を行い、パケットを放送番組の内容そのものであるＡＶデータとＳＩ（Service Information）情報とに分別し、ＡＶデータをＡＶデコーダに出力し、ＳＩ情報をＣＰＵ５に出力する。
【００２８】
ＡＶデコーダは、ＣＰＵ５から出力されるＡＶ制御信号に応じて、デマルチプレクサから受け取ったＡＶデータを映像信号と音声信号とにデコードし、映像信号を映像信号処理回路６に出力し、音声信号を音声信号処理回路に出力する。
【００２９】
映像信号処理回路６は、ＡＶデコーダから受け取った映像信号に対して各種処理を施して、ＲＧＢ信号を生成し、そのＲＧＢ信号を色温度調整回路７に送出する。
【００３０】
色温度調整回路７は、ＣＰＵ５から受け取った色温度補正値に基づいて、ＲＧＢ信号のＲＧＢ比率を変更し、ＲＧＢ比率変更後のＲＧＢ信号を液晶表示パネルＰ１に送出する。これにより、液晶表示パネルＰ１に映像が表示される。なお、液晶表示パネルＰ１の輝度は、ＬＥＤバックライトの輝度によって決まり、ＬＥＤバックライトの輝度はＬＥＤドライバ３からＬＥＤバックライト用第１ＬＥＤモジュール１およびＬＥＤバックライト用第２ＬＥＤモジュール２に出力される定電流の値によって決まる。ここで、ＬＥＤドライバ３の一構成例を図３に示す。図３に示す構成例では、ＬＥＤドライバ３は、ＤＣ／ＤＣコンバータ３１と、電流検出用抵抗３２とを有している。電流検出用抵抗３２は、ＬＥＤバックライト用第１ＬＥＤモジュール１を流れる電流とＬＥＤバックライト用第２ＬＥＤモジュール２を流れる電流との合計電流に比例した電圧をＤＣ／ＤＣコンバータ３１にフィードバックする。ＤＣ／ＤＣコンバータ３１は、ＬＥＤバックライト用第１ＬＥＤモジュール１を流れる電流とＬＥＤバックライト用第２ＬＥＤモジュール２を流れる電流との合計電流が定電流になるように、出力電圧をフィードバック制御する。当該定電流の値は、ＣＰＵ５からの命令に従って決定される。
【００３１】
メモリ８は、ＣＰＵ５がテレビジョン受信機の各種制御を行うために必要な各種プログラム及び各種データを不揮発的に記憶している。
【００３２】
ＣＰＵ５は、メモリ８に記憶されているルックアップテーブルを用いて、色温度調整回路７に送出する色温度補正値を決定している。色温度補正値の決定に関連するＣＰＵ５の動作について図４のフローチャートを参照して以下に説明する。
【００３３】
本発明の第１実施形態に係るテレビジョン受信機の電源がオン状態になると、図４に示すフローチャート動作が開始される。フローチャート動作開始時に、ＣＰＵ５は、内蔵タイマーを用いて、液晶表示パネルＰ１の点灯時間の計時を開始する。
【００３４】
まず、ＣＰＵ５は、液晶表示パネルＰ１が交換されたか否かを判定する（ステップＳ１０）。本実施形態では、電源がオフ状態からオン状態に切り替わってから所定時間が経過するまでにパネル点灯積算時間リセットスイッチ９が押圧されれば、液晶表示パネルＰ１が交換されたと判定し、電源がオフ状態からオン状態に切り替わってから所定時間が経過してもパネル点灯積算時間リセットスイッチ９が押圧されなければ、液晶表示パネルＰ１が交換されていないと判定する。
【００３５】
液晶表示パネルＰ１が交換されたと判定した場合（ステップＳ１０のＹＥＳ）、ＣＰＵ５がメモリ８に記憶されているパネル点灯積算時間の初期化（リセット）を実行し（ステップＳ２０）、その後ステップＳ３０に移行する。これに対して、液晶表示パネルＰ１が交換されていないと判定した場合（ステップＳ１０のＮＯ）、直接ステップＳ３０に移行する。
【００３６】
ステップＳ３０において、ＣＰＵ５は、メモリ８に記憶されているパネル点灯積算時間を読み出す。ステップＳ３０に続くステップＳ４０において、ＣＰＵ５は、降圧回路４から出力されるデータを取得する。ステップＳ４０に続くステップＳ５０において、ＣＰＵ５による演算が実行される。
【００３７】
ＬＥＤドライバ３が定電流出力であるため、ＬＥＤドライバ３から出力される駆動電圧と、ＬＥＤバックライト用第１ＬＥＤモジュール１及びＬＥＤバックライト用第２ＬＥＤモジュール２のＬＥＤ温度との間には、図５に示すような関係がある。このため、ステップＳ５０の演算処理において、ＣＰＵ５は、ステップＳ４０で取得したデータを用いて、ＬＥＤバックライト用第１ＬＥＤモジュール１及びＬＥＤバックライト用第２ＬＥＤモジュール２のＬＥＤ温度を検出する。
【００３８】
ＬＥＤ温度とＬＥＤバックライトの色温度変化による表示映像の色度シフト量との間には、図６に示すような関係があり、温度補正値Ｋ１ｘ及びＫ１ｙによってＬＥＤバックライトの色温度変化を補償することで、ＬＥＤバックライトの色温度変化による表示映像の色度シフト量を図６に示す点線のように零にすることができる。メモリ８には、ＬＥＤ温度と温度補正値Ｋ１ｘ及びＫ１ｙとの対応関係を示す第１ルックアップテーブルが予め記憶されている。そこで、ステップＳ５０の演算処理において、ＣＰＵ５は、ステップＳ４０で取得したデータを用いて検出したＬＥＤ温度に対応する温度補正値Ｋ１ｘ及びＫ１ｙを、上記第１ルックアップテーブルを参照して、決定する。
【００３９】
また、液晶表示パネルＰ１のパネル点灯積算時間と液晶表示パネルＰ１の劣化による表示映像の色度シフト量との間には、図７に示すような関係があり、劣化補正値Ｋ２ｘ及びＫ２ｙによって液晶表示パネルＰ１の劣化を補償することで、液晶表示パネルＰ１の劣化による表示映像の色度シフト量を図７に示す点線のように零にすることができる。メモリ８には、液晶表示パネルＰ１のパネル点灯積算時間と劣化補正値Ｋ２ｘ及びＫ２ｙとの対応関係を示す第２ルックアップテーブルが予め記憶されている。そこで、ステップＳ５０の演算処理において、ＣＰＵ５は、ステップＳ３０で読み出したパネル点灯積算時間に対応する劣化補正値Ｋ２ｘ及びＫ２ｙを、上記第２ルックアップテーブルを参照して、決定する。
【００４０】
ステップＳ５０の演算処理の最終段階において、ＣＰＵ５は、色温度補正値（Ｋ１ｘ＋Ｋ２ｘ，Ｋ１ｙ＋Ｋ２ｙ）を演算する。そして、ステップＳ５０に続くステップＳ６０において、ＣＰＵ５は、色温度調整回路７に出力する色温度補正値を、ステップＳ５０での演算結果に応じて変更する。
【００４１】
ステップＳ６０に続くステップＳ７０において、ＣＰＵ５は、電源切断を指示する操作があったか否かを判定する。電源切断を指示する操作がなければ（ステップＳ７０のＮＯ）、ステップＳ４０に戻り、電源切断を指示する操作があれば（ステップＳ７０のＹＥＳ）、ステップＳ８０に移行する。
【００４２】
ステップＳ８０において、ＣＰＵ５は、液晶表示パネルＰ１の点灯時間を確認し、ステップＳ８０に続くステップＳ９０において、ＣＰＵ５は、液晶表示パネルＰ１のパネル点灯積算時間に液晶表示パネルＰ１の点灯時間を加算した時間を、新たな液晶表示パネルＰ１のパネル点灯積算時間とし、メモリ８に記憶させている液晶表示パネルＰ１のパネル点灯積算時間を更新し、その後フローチャート動作を終了する。
【００４３】
以上のような動作により、ＬＥＤバックライトの色温度変化及び液晶表示パネルＰ１の劣化が補償され、表示映像の色度シフト量が抑制される。また、本発明の第１実施形態に係るテレビジョン受信機は、後述する本発明の第２実施形態に係るテレビジョン受信機と異なり、ＬＥＤ温度の検出に温度センサを用いない構成であるので、後述する本発明の第２実施形態に係るテレビジョン受信機が有する以下のような問題点を有していない。この点において、本発明の第１実施形態に係るテレビジョン受信機は、後述する本発明の第２実施形態に係るテレビジョン受信機に比べて好適である。
＜本発明の第２実施形態に係るテレビジョン受信機が有する問題点＞
（１）高価な温度センサを用いるので、コスト面で不利である。
（２）温度センサの設置位置はセットシャーシの影響を受けるため、温度センサを常に適切な位置に設置できるわけではなく、ＬＥＤバックライトの色温度変化をうまく補償できないおそれがある。
（３）セット毎に温度センサの配置設計を行う必要があり、セット開発に費やす時間が長くなる。
【００４４】
次に、本発明の第２実施形態に係るテレビジョン受信機について説明する。本発明の第２実施形態に係るテレビジョン受信機の要部構成を図８に示し、本発明の第２実施形態に係るテレビジョン受信機の概略構成を図９に示す。なお、図８、図９において図１、図２と同一の部分には同一の符号を付し、詳細な説明を省略する。
【００４５】
本発明の第２実施形態に係るテレビジョン受信機は、本発明の第１実施形態に係るテレビジョン受信機から降圧回路４を取り除き、降圧回路４の代わりに温度センサ１０及び１１を設けた構成である。なお、本実施形態においては、ＣＰＵ５並びに温度センサ１０及び１１が請求項中に記載されているＬＥＤ温度検出部に相当し、ＣＰＵ５、色温度調整回路７、及びメモリ８が請求項中に記載されている補正部に相当する。
【００４６】
温度センサ１０は、液晶表示パネルＰ１の上部、より詳細にはＬＥＤバックライト用第１ＬＥＤモジュール１の近傍に設けられ、温度センサ１１は、液晶表示パネルＰ１の下部、より詳細にはＬＥＤバックライト用第２ＬＥＤモジュール２の近傍に設けられる。熱の対流の関係で液晶表示パネルＰ１の上部の方が下部よりも高温になる傾向があるため、液晶表示パネルＰ１の上部と下部のいずれか一方のみに温度センサを設けるだけでは不十分であり、本実施形態のように液晶表示パネルＰ１の上部と下部の両方に温度センサを設ける必要がある。
【００４７】
本実施形態において、ＣＰＵ５は、温度センサ１０及び１１から出力される信号に基づいて、ＬＥＤバックライト用第１ＬＥＤモジュール１及びＬＥＤバックライト用第２ＬＥＤモジュール２のＬＥＤ温度を検出する。このため、本実施形態における、色温度補正値の決定に関連するＣＰＵ５の動作は図１０に示すフローチャートのようになる。なお、図１０に示すフローチャートにおいて、図４に示すフローチャートと同一のステップには同一の符号を付し詳細な説明を省略する。
【００４８】
図１０に示すフローチャートは、図４に示すフローチャートからステップＳ４０を取り除き、ステップＳ４０の代わりにステップＳ４５を設けたフローチャートである。
【００４９】
ステップＳ１０〜Ｓ３０の動作については、第１実施形態の場合と同じであるため、説明を省略する。
【００５０】
ステップＳ４５において、ＣＰＵ５は、温度センサ１０及び１１から出力されるデータを取得する。ステップＳ４５に続くステップＳ５０において、ＣＰＵ５による演算が実行される。
【００５１】
ステップＳ５０の演算処理において、ＣＰＵ５は、ステップＳ４５で取得したデータを用いて、ＬＥＤバックライト用第１ＬＥＤモジュール１及びＬＥＤバックライト用第２ＬＥＤモジュール２のＬＥＤ温度の平均値を検出する。
【００５２】
ＬＥＤ温度とＬＥＤバックライトの色温度変化による表示映像の色度シフト量との間には、図６に示すような関係があり、温度補正値Ｋ１ｘ及びＫ１ｙによってＬＥＤバックライトの色温度変化を補償することで、ＬＥＤバックライトの色温度変化による表示映像の色度シフト量を図６に示す点線のように零にすることができる。メモリ８には、ＬＥＤ温度と温度補正値Ｋ１ｘ及びＫ１ｙとの対応関係を示す第１ルックアップテーブルが予め記憶されている。そこで、ステップＳ５０の演算処理において、ＣＰＵ５は、ステップＳ４５で取得したデータを用いて検出したＬＥＤ温度の平均値に対応する温度補正値Ｋ１ｘ及びＫ１ｙを、上記第１ルックアップテーブルを参照して、決定する。
【００５３】
また、液晶表示パネルＰ１のパネル点灯積算時間と液晶表示パネルＰ１の劣化による表示映像の色度シフト量との間には、図７に示すような関係があり、劣化補正値Ｋ２ｘ及びＫ２ｙによって液晶表示パネルＰ１の劣化を補償することで、液晶表示パネルＰ１の劣化による表示映像の色度シフト量を図７に示す点線のように零にすることができる。メモリ８には、液晶表示パネルＰ１のパネル点灯積算時間と劣化補正値Ｋ２ｘ及びＫ２ｙとの対応関係を示す第２ルックアップテーブルが予め記憶されている。そこで、ステップＳ５０の演算処理において、ＣＰＵ５は、ステップＳ３０で読み出したパネル点灯積算時間に対応する劣化補正値Ｋ２ｘ及びＫ２ｙを、上記第２ルックアップテーブルを参照して、決定する。
【００５４】
ステップＳ５０の演算処理の最終段階において、ＣＰＵ５は、色温度補正値（Ｋ１ｘ＋Ｋ２ｘ，Ｋ１ｙ＋Ｋ２ｙ）を演算する。そして、ステップＳ５０に続くステップＳ６０において、ＣＰＵ５は、色温度調整回路７に出力する色温度補正値を、ステップＳ５０での演算結果に応じて変更する。
【００５５】
ステップＳ６０〜Ｓ９０の動作については、第１実施形態の場合と同じであるため、説明を省略する。
【００５６】
以上のような動作により、ＬＥＤバックライトの色温度変化及び液晶表示パネルＰ１の劣化が補償され、表示映像の色度シフト量が抑制される。
【００５７】
以上、本発明に係る実施形態について説明したが、本発明の範囲はこれに限定されるものではなく、発明の主旨を逸脱しない範囲で種々の変更を加えて実行することができる。
【００５８】
例えば、上述した実施形態では、エッジ型ＬＥＤバックライトを備えるデジタルテレビジョン受信機を例に挙げて説明したが、直下型ＬＥＤバックライトを備えるデジタルテレビジョン受信機にも本発明を適用することができる。直下型ＬＥＤバックライトを備えるデジタルテレビジョン受信機では、ＬＥＤドライバは通常複数チャンネル出力の駆動回路になるので、上述した第１実施形態と同じように降圧回路を設ける場合、降圧回路を複数チャンネル分設ける構成が理想的であるが、降圧回路を１チャンネル分のみ設ける構成であっても構わない。
【００５９】
また、ＬＥＤドライバは上述した実施形態のように通常定電流出力であるが、本発明はＬＥＤドライバが定電圧出力である場合にも適用することができる。例えば、ＬＥＤドライバが定電圧出力であって、上述した第１実施形態と同じように降圧回路を設ける場合、降圧回路が、ＬＥＤドライバから出力される駆動電流に比例した電圧を、ＣＰＵが直接読み込める電圧まで降圧して、ＣＰＵに供給するようにすればよい。
【００６０】
また、上述した実施形態では、液晶表示パネルの劣化を補償しているが、本発明において液晶表示パネルの劣化を補償することは必須要件ではないので、パネル点灯積算時間や第２ルックアップテーブルを記憶しない実施形態に変形することも可能である。
【符号の説明】
【００６１】
１  ＬＥＤバックライト用第１ＬＥＤモジュール
２  ＬＥＤバックライト用第２ＬＥＤモジュール
３  ＬＥＤドライバ
４  降圧回路
５  ＣＰＵ
６  映像信号処理回路
７  色温度調整回路
８  メモリ
９  パネル点灯積算時間リセットスイッチ
１０、１１  温度センサ
３１  ＤＣ／ＤＣコンバータ
３２  電流検出用抵抗
Ｌ１  導光板
Ｐ１  液晶表示パネル
【図１】
2012073400.tif 000003
【図２】
2012073400.tif 000004
【図３】
2012073400.tif 000005
【図４】
2012073400.tif 000006
【図５】
2012073400.tif 000007
【図６】
2012073400.tif 000008
【図７】
2012073400.tif 000009
【図８】
2012073400.tif 000010
【図９】
2012073400.tif 000011
【図１０】
2012073400.tif 000012